(57)【要約】 本発明の着物（Ａ）は、左上身頃（１０ａ）及び右上身頃（１０ｂ）から成る上身頃対（１）と、左上身頃（１０ａ）の前端側領域（１２ａ）に縫着される左前下身頃（２０ａ）、及び右上身頃（１０ｂ）の前端側領域（１２ｂ）に縫着される右前下身頃（２０ｂ）とから成る前下身頃対（２）と、左上身頃（１０ａ）の後端側領域（１４ａ）に縫着される左後下身頃（４０ａ）、及び右上身頃（１０ｂ）の後端側領域（１４ｂ）に縫着される右後下身頃（４０ｂ）とから成る後下身頃対（４）と、上身頃対（１）内面で衿取付け線（１３０ａ、１３０ｂ）と背縫い線（１６０ａ、１６０ｂ）が交わる交点又はその周辺の取付け領域（６１）内の所定の取付部（６０）と、後下身頃対（４）の内面の所定の係合部であるボタン（６４）と間に介設され、取付け領域（６１）をボタン（６４）側に牽引して衿抜きが可能な衿抜き部材（６）とを備える。
2017183144.tif 000002
【特許請求の範囲】
【請求項１】
左上身頃及び右上身頃から成る上身頃対と、  前記左上身頃の前端側領域に縫着される左前下身頃、及び前記右上身頃の前端側領域に縫着される右前下身頃から成る前下身頃対と、  前記左上身頃の後端側領域に縫着される左後下身頃、及び前記右上身頃の後端側領域に縫着される右後下身頃とから成る後下身頃対と、  前記上身頃対内面で衿取付け線と背縫い線が交わる交点又はその周辺の取付け領域内の所定の取付部と、前記後下身頃対の内面の所定の係合部との間に介設され、前記取付け領域を係合部側に牽引して衿抜きが可能な衿抜き部材とを備える  着物。
【請求項２】
前記衿抜き部材は、  前記取付部に取り付けられる被取付部と、前記係合部に係合される被係合部とを有し、  前記衿抜き部材における被取付部と被係合部間の長さは、前記上身頃対の取付部から後下身頃対の係合部間の長さよりも短く設定する  請求項１に記載の着物。
【請求項３】
前記係合部と被係合部は、  ボタン、及び牽引方向に沿って長いスリット状のボタンホールから形成されたボタン保持部とから成るボタン構造から構成される  請求項２に記載の着物。
【請求項４】
前記係合部と前記被係合部は、  帯を着用した際に帯によって被覆される位置に取り付けられる  請求項１から請求項３のいずれか一項に記載の着物。
【請求項５】
前記上身頃対は、  前記衿取付け線に沿って、前記左上身頃及び右上身頃の前後方向略中央に位置する肩山線より後ろ側の後側上身頃途中にかけて、中心角略９０度の円弧状の後衿付線が形成される後衿部と、  前記左上身頃と右上身頃を対向配置した状態において、前記衿取付け線に沿って、前記肩山線より前側の前側上身頃の前端にかけて、同肩山線から離間するにしたがって徐々に左右方向内側に傾斜する前衿付線が形成される前衿部から成る衿刳りを有する  請求項１から請求項３のいずれか一項に記載の着物。
【請求項６】
前記上身頃対は、  前記左上身頃及び右上身頃の前後方向略中央に位置する肩山線より前側の前側上身頃の外側縁部と、前記肩山線より後ろ側の後側上身頃の外側縁部とを部分的に互いに縫着して成ると共に、前記外側縁部のいずれも、前記肩山線から離間するに従って左右方向内側に傾斜する傾斜外縁部である脇縫い部を有する  請求項１から請求項３のいずれか一項に記載の着物。
【請求項７】
前記外側縁部は、  前記肩山線側から順に、所定の傾斜角度の第１傾斜部分と、該第１傾斜部分よりも傾斜角度が小さい第２傾斜部分とを有する  請求項６に記載の着物。
【請求項８】
前記上身頃対は、  前記左上身頃と右上身頃を対向配置した状態において、前記左上身頃の肩山線より後ろ側の後側上身頃の内側の領域である左内側縁部と、前記右上身頃の肩山線より後ろ側の後側上身頃の内側の領域である右内側縁部とを互いに縫着して成ると共に、前記内側縁部のいずれも、前記肩山線から離間するに従って左右方向外側に傾斜する傾斜内縁部を有する  請求項１から請求項３のいずれか一項に記載の着物。
【請求項９】
前記上身頃対は、  前記左上身頃の前端側領域と、前記右上身頃の前端側領域に設けられ、左右方向外側から左右方向内側に向かって前記肩山線側に傾斜する傾斜前縁部を有する  請求項１から請求項３のいずれか一項に記載の着物。
【請求項１０】
前記上身頃対、前下身頃対及び後下身頃対は、  前記上身頃対と前後下身頃対の間の縫着部又はその近傍を折畳んで形状を維持したお端折部を有する  請求項１から請求項３のいずれか一項に記載の着物。
【請求項１１】
前記お端折部の巻回方向の一端にあって、前記縫着部の左部に係合する第一接続部と、前記お端折部の巻回方向の他端にあって、前記お端折部で縫着部の右部の上に重ねた部分と係合する第二接続部とを有する  請求項１０に記載の着物。
【請求項１２】
衿と、各左右一対の上身頃、前下身頃、後下見頃、衽、及び袖の裁断を行う裁断工程と、  前記左上身頃の後側上身頃の内側縁部と右上身頃の後側上身頃の内側縁部を縫着する第１内縁部接続工程と、  前記左上身頃及び右上身頃の前後方向略中央に位置する肩山線より前側の前側上身頃の外側縁部と、前記肩山線より後ろ側の後側上身頃の外側縁部とを部分的に互いに縫着する脇縫い工程と、  上身頃対内面で衿取付け線と背縫い線が交わる交点又はその周辺の取付け領域内の所定の取付部と、前記後下身頃対の内面の所定の係合部との間に介設され、前記取付け領域を係合部側に牽引して衿抜きが可能な衿抜き部材を取付ける衿抜き部材取付け過程、前記衿取付け線に沿って、前記肩山線より後ろ側の後側上身頃途中にかけて中心角略９０度の円弧状の後衿付線が形成された後衿部に衿を縫着する後衿部取付け過程、及び前記左上身頃と右上身頃を対向配置した状態において、前記衿取付け線に沿って、前記肩山線から前側の前側上身頃の前端にかけて、同肩山線から離間するにしたがって徐々に左右方向内側に傾斜する前衿付線が形成された前衿部に衿を縫着する前衿部取付け過程を有する衿関連部材取付け工程と、  前記左上身頃と右上身頃の外側縁部に袖を縫着する袖付け工程と、  前記左後下身頃の内側縁部と右後下身頃の内側縁部を縫着する第２内縁部接続工程と、  前記左前下身頃と右前下身頃に衽を縫着する衽付け工程と、  前記左前下身頃と前記左後下身頃とを縫着し、前記右前下身頃と前記右後下身頃とを縫着する足周り接続工程と、  上下身頃を接続し、お端折を形成し、お端折の端部が接続される接続部の取付けを行う本体仕上げ工程とを備える  着物の製造方法。
【請求項１３】
前記本体仕上げ工程は、  前記上身頃と前後の下身頃を縫着する上下身頃接続工程と、  前記上身頃と下身頃の間の縫着部を折畳んでお端折を形成するお端折形成工程と、  前記お端折を前記縫着部に接続するための接続部を取付ける接続具取付工程とを有する  請求項１２に記載の着物の製造方法。
【請求項１４】
前記本体仕上げ工程は、  前記下身頃の上端側領域を折り畳んでお端折を形成するお端折形成工程と、  前記お端折と前記下身頃を前記上身頃の下端に縫着する上下身頃接続工程と、  前記お端折を前記上身頃と前記下身頃の縫着部に接続するための接続具を取付ける接続具取付工程とを有する  請求項１２に記載の着物の製造方法。
【請求項１５】
上身頃対内面で衿取付け線と背縫い線が交わる交点又はその周辺の取付け領域内の所定の取付部と、後下身頃対の内面の所定の係合部との間に介設され、前記取付け領域を係合部側に牽引して衿抜きが可能な衿刳り構造と、左上身頃と右上身頃とから成る上身頃対、前記左上身頃の前端側領域に縫着される左前下身頃と前記右上身頃の前端側領域に縫着される右前下身頃とから成る前下身頃対、及び前記左上身頃の後端側領域に縫着される左後下身頃と前記右上身頃の後端側領域に縫着される右後下身頃とから成る後下身頃対を組合わすと共に、前記上身頃対と下身頃対の間の逢着部又はその近傍を折り畳んでお端折部を形成して成る立体構造とが、あらかじめ形成された着物をはおる第１工程と、  前記上身頃対に取付けた袖に腕を通した後、前記お端折部の一端を巻いて、所定位置で固定する第２工程と、  前記お端折の他端を巻いて、同お端折部の途中に固定する第３工程とから成る  着物の着用方法。
【発明の詳細な説明】
【技術分野】
【０００１】  本発明は着物、着物の製造方法及び着物の着用方法に関する。詳しくは、着物の着用時に美しい形状を形成し、着崩れしにくく、しかも一人でも容易かつ迅速に着用することができると共に、着用者の身体の凹凸に沿って立体的に作製された着物、着物の製造方法及び着物の着用方法に関するものである。
【背景技術】
【０００２】  着物は、様々な体型の人が着用することができるようゆとりをもって作られているので、着用時に個々の体型に合わせて微調整する作業が必要である。具体的には、「衿抜き」と言われる、衿の後ろ部分の空き具合、裾にかけてすぼまった形状、お端折の形成、背中部分の後身頃に皺ができないように生地を身体に添わせるなどである。これらの作業は、着用時の美しい形状を形成するため、必要な作業とされている。  このため、着物を一人で着用できるようになるにはある程度の時間が必要となり、たとえ一人で着用できるようになっても、着用していると徐々に着崩れてしまうことから、着物を着用することにわずらわしさを感じ、いわゆる「着物離れ」が生じてしまっている。そして、この結果として着物を一人で着用することができない人が増えている。  特に、衿の後ろ部分を後方に倒す「えり抜き」と言われる作業は、鏡を見ながら片手を背中側に回して行う作業となるため、難しいとされる。【０００３】  このようなことから、特許文献１に示すように、身頃の脇線の一部を裾にかけて裾窄まりに形成されるよう予め身頃の裾付近を斜めに裁った着物が考案されている。これにより、着物の美しい形状の一つである裾窄まりの形状が自然と形成される。  また、特許文献２に示すように、上衣と下衣に分かれた、上下二部式の着物が考案されている。これにより、お端折を容易に形成することが出来、また後身頃にダーツを設けて予め体型に沿った形状に形成しているので、微調整する必要がなく容易に着用することができる。
【先行技術文献】
【特許文献】
【０００４】
【特許文献１】特開２００７−７７５５３号公報
【特許文献２】特開２００７−１６３７２号公報
【発明の概要】
【発明が解決しようとする課題】
【０００５】  しかしながら、特許文献１に記載された着物では、着物の柄のデザイン性が大きく損なわれることが考えられる。着物の柄は、従来の裁断方法で裁断されることを前提として、反物の幅に合ったデザインが施されており、このような柄の一部を任意に裁断すると、隣接する身頃の柄に違和感が生じてしまうだけでなく、従来通りの衿抜きの作業を行わなければならない点については解消されていない。このため、着物の美しい形状が損なわれてしまうことが考えられる。  また、特許文献１に記載された着物は、反物を平面的に縫着して作られているので、着用者の身体の凹凸に沿って立体的に形成することができない。【０００６】  また、特許文献２に記載された着物では、上衣の裾を両面テープで折畳むことでお端折を形成しているため、着崩れやすいだけでなく、後身頃にダーツを設けたことで後身頃に生地の皺が生じやすくなり、着物の美しい形状が形成され難い。【０００７】  そして、これらのことから特許文献１及び特許文献２に記載された着物は一人で容易かつ迅速に着用することが難しいものとなっている。【０００８】  本発明は、以上の点を鑑みて発明されたものであり、着物の着用時に美しい形状を形成し、着崩れしにくく、しかも一人でも容易かつ迅速に着用することができると共に、着用者の身体の凹凸に沿って立体的に作製された着物、着物の製造方法及び着物の着用方法を提供することを目的とする。
【課題を解決するための手段】
【０００９】  上記課題を解決するために、本発明の着物は、左上身頃及び右上身頃から成る上身頃対と、前記左上身頃の前端側領域に縫着される左前下身頃、及び前記右上身頃の前端側領域に縫着される右前下身頃から成る前下身頃対と、前記左上身頃の後端側領域に縫着される左後下身頃、及び前記右上身頃の後端側領域に縫着される右後下身頃とから成る後下身頃対と、前記上身頃対の内面で衿取付け線と背縫い線が交わる交点又はその周辺の取付け領域内の所定の取付部と、前記後下身頃対の内面の所定の係合部との間に介設され、前記取付け領域を係合部側に牽引して衿抜きが可能な衿抜き部材とを備える。【００１０】  ここで、上身頃対が左上身頃及び右上身頃から構成されることによって、適切な形状に形成された左右の上身頃を縫着することで、上身頃が体型に沿った立体的な形状となり、後身頃の生地の皺が生じにくい、美しい形状を有する上身頃が形成される。【００１１】  そして、前下身頃対が左上身頃の前端側領域に縫着される左前下身頃、及び右上身頃の前端側領域に縫着される右前下身頃から構成されることによって、適切な形状に形成された上身頃対に左右の前下身頃を縫着することで、体型に沿った立体的な形状に形成となり、裾窄まりの美しい形状を有する前下身頃が形成される。【００１２】  更に、本発明に係る着物を、左上身頃及び右上身頃から成る上身頃対、左上身頃の前端側領域に縫着される左前下身頃、及び右上身頃の前端側領域に縫着される右前下身頃から成る前下身頃対、左上身頃の後端側領域に縫着される左後下身頃、及び右上身頃の後端側領域に縫着される右後下身頃とから成る後下身頃対などの多数の部材に分割することによって、着用者の身体の凹凸に沿って立体的に形成することができる。それにより、着物全体の形状等の微調整を行うことなく、容易かつ迅速に着用することができると共に、あらかじめお端折を形成しておくことができる。【００１３】  加えて、衿抜き部材が、上身頃対内面で衿取付け線と背縫い線が交わる交点又はその周辺の取付け領域内の所定の取付部と、後下身頃対の内面の所定の係合部と間に介設されることによって、取付部に係合部側への牽引力が加えられることで衿が後方に傾倒するので、衿が体型に沿った立体的な形状となり、衿抜き作業をすることなく、衿抜きされた後の衿と同様の美しい形状を有する衿が形成される。【００１４】  そして、衿抜き部材が、上身頃対内面で衿取付け線と背縫い線が交わる交点又はその周辺の取付け領域内の所定の取付部と、後下身頃対の内面の所定の係合部と間に介設されることによって、衿抜き部材で着物のゆるみやずれが抑制されるので、形状が略一定に保持されるので、着用時に衿の位置がずれるなどの着崩れが生じにくくなる。【００１５】  更に、衿抜き部材を上身頃対の内面及び後下身頃対の内面に取付けることによって、着物の外観を損なうことなく、取付け領域に牽引する力を加えることができる。【００１６】  また、衿抜き部材が、取付部に取付けられる被取付部と、係合部に係合される被係合部とを有する場合には、衿抜き部材を上身頃対内面から後下身頃対にかけて介設することができる。【００１７】  そして、衿抜き部材における被取付部と被係合部間の長さが、上身頃対の取付部から後下身頃対の係合部間の長さよりも短く設定する場合には、衿抜き部材によって、単純な構造で係合部側に牽引することができるので、取付けが容易であり、かつ部品コストを抑えることができる。【００１８】  また、係合部と被係合部が、ボタン、及び牽引方向に沿って長いスリット状のボタンホールから形成されたボタン保持部とから成るボタン構造から構成される場合には、ボタンホールのスリット方向にボタンが遊動可能に挿入されるので、ボタンを着用者の体型に合わせてボタンホール内の適切な場所に移動させることで、着用者の体型に沿った着用をすることができる。【００１９】  なお、係合部を設ける箇所は一か所に限られるのではなく、複数個所に設けても良い。この場合は、適切な位置のボタンホールを選択することで、被取付部と被係合部間の長さを着用者の体型に合わせることができるので、着用者の体型に沿った着用をすることができ、着崩れにくくすることができる。【００２０】  また、係合部と被係合部が、帯を着用した際に帯によって被覆される位置に取り付けられる場合には、係合部と被係合部が着物の外部に露出することがないので、美しい形状を保つことができる。【００２１】  また、上身頃対が、前記衿取付け線に沿って、左上身頃及び右上身頃の前後方向略中央に位置する肩山線より後ろ側の後側上身頃途中にかけて、中心角略９０度の円弧状の後衿付線が形成される後衿部を有する場合には、後衿付線に沿って衿を縫着すると、自然と衿抜きがされた衿と同様の美しい形状の衿を形成することができるので、一人でも容易かつ迅速に着用することができる。【００２２】  そして、上身頃対が、左上身頃と右上身頃を対向配置した状態において、前記衿取付け線に沿って、肩山線より前側の前側上身頃の前端にかけて、同肩山線から離間するにしたがって徐々に左右方向内側に傾斜する前衿付線が形成される前衿部とを有する場合には、前衿付線に沿って衿を縫着すると、着用時に胸元の衿が合わさった形状の衿と同様の美しい形状の衿を形成することができるので、一人でも容易かつ迅速に着用することができる。【００２３】  また、上身頃対が、左上身頃及び右上身頃の前後方向略中央に位置する肩山線より前側の前側上身頃の外側縁部と、肩山線より後ろ側の後側上身頃の外側縁部とを部分的に互いに縫着して成る場合には、上身頃対の前側上身頃と後側上身頃を縫着することで上身頃対を略筒状に形成することができる。【００２４】  そして、上身頃対の外側縁部のいずれもが、肩山線から離間するに従って左右方向内側に傾斜する傾斜外縁部である脇縫い部を有する場合には、更に、下方を細くして上身頃を着用者の胴回りに沿った、下窄まりの立体的な形状に形成することができる。【００２５】  また、傾斜外側縁部が、肩山線側から順に、所定の傾斜角度の第１傾斜部分と、第１傾斜部分よりも傾斜角度が小さい第２傾斜部分とを有する場合には、上身頃の脇部を二段階に徐々に窄まった形状に形成することができ、着用者の胴回りのふくらみに沿った、立体的な形状に形成することができる。【００２６】  また、上身頃対は、左上身頃と右上身頃を対向配置した状態において、左上身頃の肩山線より後ろ側の後側上身頃の内側の領域である左内側縁部と、右上身頃の肩山線より後ろ側の後側上身頃の右内側縁部とを互いに縫着して成る場合には、上身頃対の前側上身頃と後側上身頃を縫着することで上身頃対を略筒状に形成することができる。【００２７】  そして、内側縁部のいずれも、肩山線から離間するに従って左右方向外側に傾斜する傾斜内縁部を有する場合には、下方を細くして上身頃を着用者の胴回りに沿った、下窄まりの立体的な形状に形成することができる。【００２８】  更に、このような左右の内側縁部の縫着によって、左右の上身頃を下窄まりの形状にすると、より体型に沿った左右の上身頃が形成され、着用時の背中部分や脇部分に、生地の皺が生じるのを防ぐことができるので、一人でも容易かつ迅速に着用することができる。【００２９】  また、上身頃対は、左上身頃の前端側領域と、右上身頃の前端側領域に設けられ、左右方向外側から左右方向内側に向かって肩山線側に傾斜する傾斜前縁部を有する場合には、前端側領域に前下身頃と衽を縫着すれば、衽の下端部にある褄先が持ち上がり、裾窄まりの形状が形成されるので、一人でも容易かつ迅速に着用することができる。【００３０】  また、上身頃対、前下身頃対及び後下身頃対が、上身頃対と前後下身頃対の間の縫着部又はその近傍を折畳んで形状を維持したお端折部を有する場合には、着用時にお端折を形成する手間を省くことができるので、一人でも容易かつ迅速に着用することができる。【００３１】  また、お端折部の巻回方向の一端又はその近傍にあって、縫着部の左部に係合する第一接続部を有する場合には、右上身頃及び右前下身頃で身体の前面を被覆して固定することができるので、着用時に着崩れるのを防ぐことができると共に、一人でも容易かつ迅速に着用することができる。【００３２】  そして、お端折部の巻回方向の他端又はその近傍にあって、お端折部で縫着部の右部の上に重ねた部分と係合する第二接続部を有する場合には、左上身頃及び左前下身頃で身体の前面を被覆して固定することができるので、着用時に着崩れるのを防ぐことができると共に、一人でも容易かつ迅速に着用することができる。【００３３】  また、上記課題を解決するために、本発明の着物の製造方法は、衿と、各左右一対の上身頃、前下身頃、後下見頃、衽、及び袖の裁断を行う裁断工程と、前記左上身頃の後側身頃の内側縁部と右上身頃の後側身頃の内側縁部を縫着する第１内縁部接続工程と、前記左上身頃及び右上身頃の前後方向略中央に位置する肩山線より前側の前側上身頃の外側縁部と、前記肩山線より後ろ側の後側上身頃の外側縁部とを部分的に互いに縫着する脇縫い工程と、上身頃対内面で衿取付け線と背縫い線が交わる交点又はその周辺の取付け領域内の所定の取付部と、前記後下身頃対の内面の所定の係合部との間に介設され、前記取付け領域を係合部側に牽引して衿抜きが可能な衿抜き部材を取付ける衿抜き部材取付け過程、前記衿取付け線に沿って、前記肩山線より後ろ側の後側上身頃途中にかけて中心角略９０度の円弧状の後衿付線が形成された後衿部に衿を縫着する後衿部取付け過程、及び前記左上身頃と右上身頃を対向配置した状態において、前記衿取付け線に沿って、前記肩山線から前側の前側上身頃の前端にかけて、同肩山線から���間するにしたがって徐々に左右方向内側に傾斜する前衿付線が形成された前衿部に衿を縫着する前衿部取付け過程を有する衿関連部材取付け工程と、前記左上身頃と右上身頃の外側縁部に袖を縫着する袖付け工程と、前記左後下身頃の内側縁部と右後下身頃の内側縁部を縫着する第２内縁部接続工程と、前記左前下身頃と右前下身頃に衽を縫着する衽付け工程と、前記左前下身頃と前記左後下身頃とを縫着し、前記右前下身頃と前記右後下身頃とを縫着する足周り接続工程と、上下身頃を接続し、お端折を形成し、お端折の端部が接続される接続部の取付けを行う本体仕上げ工程とを備える。【００３４】  ここで、衿と、各左右一対の上身頃、前下身頃、後下見頃、衽、及び袖の裁断を行う裁断工程によって、生地体から衿と、各左右一対の上身頃、前下身頃、後下見頃、衽、及び袖のそれぞれに用いる生地体を裁断することができる。【００３５】  そして、左上身頃の後側上身頃の内側縁部と右上身頃の後側上身頃の内側縁部を縫着する第１内縁部接続工程によって、適切な形状に形成された左右の上身頃により上身頃全体を立体的に形成することができる。【００３６】  更に、左上身頃及び右上身頃の前後方向略中央に位置する肩山線より前側の前側上身頃の外側縁部と、肩山線より後ろ側の後側上身頃の外側縁部とを部分的に互いに縫着する脇縫い工程によって、適切な形状に形成された前後の上身頃により、上身頃全体を立体的に形成することができる。【００３７】  加えて、上身頃対内面で衿取付け線と背縫い線が交わる交点又はその周辺の取付け領域内の所定の取付部と、後下身頃対の内面の所定の係合部との間に介設され、取付け領域を係合部側に牽引して衿抜きが可能な衿抜き部材を取付ける衿抜き部材取付け工程によって、衿抜きがされた衿と同様の立体的で美しい形状を有する衿を形成することができる。【００３８】  そして、衿取付け線に沿って、肩山線より後ろ側の後側上身頃途中にかけて中心角略９０度の円弧状の後衿付線が形成された後衿部に衿を縫着する後衿部取付け過程と、左上身頃と右上身頃を対向配置した状態において、衿取付け線に沿って、肩山線から前側の前側上身頃の前端にかけて、肩山線から離間するにしたがって徐々に左右方向内側に傾斜する前衿付線が形成された前衿部に衿を縫着する前衿部取付け過程によって、衿抜きがされた衿と同様の立体的で美しい形状を有する衿を形成することができる。【００３９】  また、左上身頃と右上身頃の外側縁部に袖を縫着する袖付け工程によって、上身頃と袖を一体に形成することができる。【００４０】  更に、左後下身頃の内側縁部と右後下身頃の内側縁部を縫着する第２内縁部接続工程によって、左右の後下身頃を一体に形成することができる。【００４１】  加えて、左前下身頃と右前下身頃に衽を縫着する衽付け工程によって、左右の前下身頃と衽を一体に形成することができる。【００４２】  そして、左前下身頃と左後下身頃とを縫着し、右前下身頃と右後下身頃とを縫着する足周り接続工程によって、下身頃を一体に形成することができる。【００４３】  更に、上下身頃を接続し、お端折を形成し、お端折の端部が接続される接続部の取付けを行う本体仕上げ工程によって、適切な形状に形成された上下身頃と衽��一体に形成すると共に、適切な形状に形成されたお端折を着物に縫着することで、お端折が形成された着物と同様の美しい形状を有する着物を形成することができ、かつ着用時にお端折を形成する手間を省くことができる。更に、上下身頃で身体の前面を被覆して固定するので、着崩れにくく、一人でも容易かつ迅速に着用することができる着物を製造することができる。【００４４】  また、本体仕上げ工程が、上身頃と前後の下身頃を縫着する上下身頃接続工程と、上身頃と下身頃の間の縫着部を折畳んでお端折を形成するお端折形成工程と、お端折を縫着部に接続するための接続部を取付ける接続部取付工程とを有する場合には、上下身頃接続工程によって、適切な形状に形成された上下身頃と衽を一体に形成することができる。そして、お端折形成工程によって、適切な形状に形成されたお端折を着物に縫着することで、お端折が形成された着物と同様の美しい形状を有する着物を形成することができ、かつ着用時にお端折を形成する手間を省くことができる。更に、接続具取付工程によって、左右の上身頃及び左右の前下身頃で身体の前面を被覆して固定するので、着崩れにくく、一人でも容易かつ迅速に着用することができる着物を製造することができる。【００４５】  また、本体仕上げ工程が、下身頃の上端側領域を折畳んでお端折を形成するお端折形成工程と、お端折と下身頃を上身頃の下端に縫着する上下身頃接続工程と、お端折を上身頃と下身頃の縫着部に接続するための接続具を取付ける接続具取付け工程とを有する場合には、お端折形成工程によって、適切な形状に形成されたお端折を着物に縫着することで、お端折が形成された着物と同様の美しい形状を有する着物を形成することができ、かつ着用時にお端折を形成する手間を省くことができる。そして、上下身頃接続工程によって、適切な形状に形成された上下身頃と衽を一体に形成すると共に、お端折を形成する際、適切な形状に形成された上下身頃とお端折を一緒に縫着することができることが出来るので、作業負担の軽減を図ることができる。更に、接続具取付け工程によって、左右の上身頃及び左右の前下身頃で身体の前面を被覆して固定するので、着崩れにくく、一人でも容易かつ迅速に着用することができる着物を製造することができる。【００４６】  また、上記課題を解決するために、本発明の着物の着用方法は、上身頃対内面で衿取付け線と背縫い線が交わる交点又はその周辺の取付け領域内の所定の取付部と、後下身頃対の内面の所定の係合部との間に介設され、前記取付け領域を係合部側に牽引して衿抜きが可能な衿刳り構造と、左上身頃と右上身頃とから成る上身頃対、前記左上身頃の前端側領域に縫着される左前下身頃と前記右上身頃の前端側領域に縫着される右前下身頃とから成る前下身頃対、及び前記左上身頃の後端側領域に縫着される左後下身頃と前記右上身頃の後端側領域に縫着される右後下身頃とから成る後下身頃対を組合わすと共に、前記上身頃対と下身頃対の間の縫着部又はその近傍を折り畳んでお端折部を形成して成る立体構造とが、あらかじめ形成された着物をはおる第１工程と、前記上身頃対に取付けた袖に腕を通した後、前記お端折部の一端を巻いて、所定位置で固定する第２工程と、お端折の他��を巻いて、お端折部の途中に固定する第３工程とから成る。【００４７】  ここで、上身頃対内面で衿取付け線と背縫い線が交わる交点又はその周辺の取付け領域内の所定の取付部と、後下身頃対の内面の所定の係合部との間に介設され、取付け領域を係合部側に牽引して衿抜きが可能な衿刳り構造が、あらかじめ形成された着物をはおる第１工程によって、衿抜き作業をすることなく衿抜きがされたのと同様の美しい形状の衿を有する着物を着用することができる。【００４８】  そして、左上身頃と右上身頃とから成る上身頃対、左上身頃の前端側領域に縫着される左前下身頃と右上身頃の前端側領域に縫着される右前下身頃とから成る前下身頃対、及び左上身頃の後端側領域に縫着される左後下身頃と右上身頃の後端側領域に縫着される右後下身頃とから成る後下身頃対を組合わすと共に、上身頃対と下身頃対の間の縫着部又はその近傍を折り畳んでお端折部を形成して成る立体構造が、あらかじめ形成された着物をはおる第１工程によって、着用者の体型に沿った立体的な着物であって、皺を脇に寄せる皺寄せ作業をすることなく、皺寄せ作業をしたのと同様の美しい形状の後身頃を有する着物を着用することができる。【００４９】  更に、上身頃対に取付けた袖に腕を通した後、お端折部の一端を巻いて、所定位置で固定する第２工程によって、右前下身頃と右上身頃とを固定することでき、着崩れることを防ぐことができるので、一人でも容易かつ迅速に着用することができる。【００５０】  加えて、お端折の他端を巻いて、お端折部の途中に固定する第３工程によって、左前下身頃と左上身頃とを固定することで、着崩れることを防ぐことができると共に、一人でも容易かつ迅速に着用することができる。
【発明の効果】
【００５１】  本発明は、着物の着用時の従来の美しい形状を保ちながらも、着崩れしにくく、一人でも容易かつ迅速に着用することができると共に、着用者の身体の凹凸に沿って立体的に作製された着物、着物の製造方法及び着物の着用方法を提供することができる。
【図面の簡単な説明】
【００５２】
【図１】本実施例の着物を構成する、上身頃対、前下身頃対及び後下身頃対を表した展開図である。
【図２】本実施例の着物の説明図である。
【図３】本実施例の着物の後衿部の説明図である。
【図４】本実施例の着物の背力布の説明図である。
【図５】本実施例の着物の製造方法の説明図である。
【図６】本実施例の着物の着用方法の説明図である。
【発明を実施するための形態】
【００５３】  以下、本発明の着物、着物の製造方法及び着物の着用方法について図１乃至図６を参照しながら説明し、本発明の理解に供する。  なお、本明細書では、「左」「右」とは、それぞれ順に、着用者にとっての左手側を、着用者にとっての右手側を示す。また、「前」「後」、それぞれ順に、着用者にとっての前方を、着用者にとっての後方を示す。そして、「上」「下」とは、それぞれ順に、着用者にとって足部から頭部に向けての方向を、着用者にとって頭部から足部に向けての方向を示す。さらに、「内側」「外側」とは、それぞれ順に着用者の身体の中心に近い側を、着用者の身体の中心から遠い側を示す。  更に、図１において縫い代は省略している。
【００５４】  〔着物の実施の形態〕  本発明に係る着物について、図１乃至図４を用いて説明する。  まず、図１乃至図３に示すように、本実施の形態の着物は、上身頃対１、前下身頃対２、衽対３、後下身頃対４、衿５、衿抜き部材の一例である背力布６、袖９の構成部材から成る。
【００５５】  上身頃対１は左上身頃１０ａ及び右上身頃１０ｂから成り、それぞれ長手方向の略中央に肩山線１１ａ、１１ｂを有する。肩山線１１ａ、１１ｂを含む領域の生地は、本実施の形態の着物を着用した際、着用者の肩の最上部付近に位置する。
【００５６】  左右の上身頃１０ａ、１０ｂのうち、肩山線１１ａ、１１ｂを境にして、着用時に着用者の前側に位置する部分を前側上身頃１０１ａ、１０１ｂとし、後側に位置する部分を後側上身頃１００ａ、１００ｂとする。左右の上身頃１０ａ、１０ｂは、図１においては略左右反転した形状を有し、上身頃１０ａ、１０ｂとも他方の上身頃と対向する縁部は、後側上身頃１００ａ、１００ｂから前側上身頃１０１ａ、１０１ｂにかけて切欠かれている。
【００５７】  具体的には、後側上身頃１００ａ、１００ｂは中心角略９０度の円弧状に切欠かれて、後衿付線１３０ａ、１３０ｂが形成される。この後衿付線１３０ａ、１３０ｂに連続するようにして、前側上身頃１０１ａ、１０１ｂの肩山線１１ａ、１１ｂから前端側領域１２ａ、１２ｂにかけて斜めに切欠かれた前衿付線１３１ａ、１３１ｂが形成される。そして、このような後衿付線１３０ａ、１３０ｂを有する後衿部１３２と、前衿付線１３１ａ、１３１ｂを有する前衿部１３３とを併せて、衿刳りの一例である衿付部１３が形成される。
【００５８】  この後衿付線１３０ａ、１３０ｂに沿って衿５の衿後部５０を取付けることで、衿５が後方に傾倒し、自然と衿抜きがされた衿と同様の美しい形状の衿５を形成することができると共に、衿抜きの作業をすることなく、一人でも容易かつ迅速に着用することができる。
【００５９】  また、前衿付線１３１ａ、１３１ｂに沿って衿５の衿前部５１を取付けることで、胸元の衿が自然と合わさった、美しい形状の衿５を形成することができると共に、胸元を合わせる作業をすることなく、一人でも容易かつ迅速に着用することができる。
【００６０】  また、傾斜内縁部の一例である、上身頃１０ａ、１０ｂの背縫い部１６は、後側上身頃１００ａ、１００ｂの内側の縁部であって、後衿付線１３０ａ、１３０ｂの部分を除いた縁部である内側縁部１６０ａ、１６０ｂと、その近傍であって、背中部分や脇部分に位置する縁部領域１６１ａ、１６１ｂとから成る。内側縁部１６０ａ、１６０ｂは、肩山線１１ａ、１１ｂから後端側領域１４ａ、１４ｂに向けて離間するにしたがって、外側に傾斜して形成されている。
【００６１】  この内側縁部１６０ａ、１６０ｂを縫着することで、上身頃を略筒状に形成することができると共に、下方を細くして上身頃１を着用者の胴回りに沿った、下窄まりの立体的な形状に形成することができると共に、着用時の背中部分や脇部分である縁部領域１６１ａ、１６１ｂに、生地の皺が生じるのを防ぐことができる。
【００６２】  なお、胴回りが太い着用者の場合には、内側縁部１６０ａ、１６０ｂの傾斜角度を変えるなどして徐々に垂直方向に近づけることで対応することができる。
【００６３】  また、上身頃１０ａ、１０ｂの外側縁部１５は、前外側縁部１５０ａ、１５０ｂ及び後外側縁部１５１ａ、１５１ｂから成る。前外側縁部１５０ａ、１５０ｂは肩山線１１ａ、１１ｂから前端側領域１２ａ、１２ｂにかけて内側に傾斜している。後外側縁部１５１ａ、１５１ｂは、肩山線１１ａ、１１ｂから後端側領域１４ａ、１４ｂにかけて内側に傾斜している。
【００６４】  前外側縁部１５０ａ、１５０ｂの一部と、後外側縁部１５１ａ、１５１ｂの一部を縫着することで、上身頃を略筒状に形成することができると共に、下方を細くして上身頃１を着用者の胴回りに沿った、下窄まりの立体的な形状に形成することができる。
【００６５】  背力布６は帯状の形状を有し、伸縮性のない素材で形成されている。また、背力布６の一端であり、被取付部６５は、着物Ａの内側で後衿付線１３０ａ、１３０ｂと内側縁部１６０ａ、１６０ｂとが交わる交点又はその周辺の取付け領域６１内の所定の取付部６０に取付けられる。また、背力布６の他端である被係合部であるボタンホール６３は、後下見頃対４の内面の所定の係合部であるボタン６４に取付けられる。
【００６６】  後身頃の一部に取付けられた係合部の一例であるボタン６４をボタンホール６３に係合することで背力布６にボタン６４側の牽引力を持たせることができる。
【００６７】  背力布６は、取付部６０とボタン６４間の長さよりも短く形成され、かつボタン６４は帯（図示せず）によって押圧される位置に取り付けられているので、背力布６の被取付部６５にボタン６４側への牽引力が生じる。このボタン６４側への牽引力が取付け領域６１に加えられることで、衿５が後方に傾倒するので、衿抜き作業をすることなく衿抜きがされた衿と同様の美しい形状の衿５を形成することができる。また、背力布６によって着物の形状が略一定に保持されるので、着用時に衿の位置がずれるなどの着崩れが生じにくくなる。さらに、背力布６は、着物Ａの内側に取付けられるため着物Ａの外観を損なうことがないので、美しい形状を有する着物が形成される。
【００６８】  また、背力布６により取付け領域６１にボタン６４側への牽引力が加えられた際には、図４（ａ）（ｂ）に示すように、縁部領域１６１ａ、１６１ｂの余分な布地はボタン６４側に引っ張られてお端折部７の内側に折畳まれて収容される。このため、生地がお端折部７の表面に露出することを防ぐことができる。
【００６９】  なお、ボタンホール６３が設けられる位置は、背力布６の端部に限られるものではなく、背力布６の途中部に設けることができ、また複数個所設けることもできる。この場合、取付け領域６１とボタン６４の取付け位置までの長さを容易に変更することができるので、着用者の体型に適した長さにすることができる。そして、ボタンホール６３の位置に応じて取付け領域６１に加えられる牽引力の大きさが変化するので、ボタンホール６３の位置を選択して衿５の傾倒する角度を調整することができる。  また、本実施例では、背力布６の幅は約７センチに形成されているが、これに限られるものではない。例えば、背力布の幅を７センチよりも細くすると、衿後部の形状をやや幅狭な形状にすることができ、７センチよりも太くすると、衿後部は丸みを帯びた形状に形成される。  なお、背力布６は伸縮性のない素材に限定されるものではなく、ゴムなどの弾性材を用いても良い。
【００７０】  衽対３は、帯状の左右の衽３０ａ、３０ｂから成り、その幅方向の一端は前下身頃２０ａ、２０ｂの幅方向の内側の端部に縫着される。
【００７１】  前下身頃対２は、帯状の左右の前下身頃２０ａ、２０ｂから成り、上身頃側領域の一例である上端部２１ａ、２１ｂは上身頃１０ａ、１０ｂの前端側領域１２ａ、１２ｂに縫着される。本実施例においては、前下身頃２０ａ、２０ｂの幅は、前端側領域１２ａ、１２ｂの幅と略同一に形成されている。なお、前下身頃２０ａ、２０ｂの幅は、前端側領域１２ａ、１２ｂの幅と略同一の長さに形成されることに限られず、着用者のサイズに合わせて、適宜変更することができる。
【００７２】  ここで、前端側領域１２ａ、１２ｂの傾斜前縁部の一例である前端側縁部１２０ａ、１２０ｂは、外側から内側に向けて肩山線１１ａ、１１ｂ側に傾斜している。このため、前端側縁部１２０ａ、１２０ｂに前下身頃２０ａ、２０ｂ及び衽３０ａ、３０ｂを縫着すると、前下身頃２０ａ、２０ｂの下端部２２ａ、２２ｂ、及び衽３０ａ、３０ｂの下端部３１ａ、３１ｂは、外側から内側に向けて傾斜した形状となる。その結果、図２（ｂ）に示すように、衽３０ａの下端部３１ａの褄先２３が持ち上がった、いわゆる裾窄まりの形状が自然と形成される。
【００７３】  なお、右前下身頃２０ｂと右衽３０ｂを別個に裁断せず、一体の生地として裁断しても良い。右衽は着用時に、左衽及び左前下身頃に覆われて露出しないので、右前下身頃と右衽を一体に裁断することで縫着する手間を省くことが出来るからである。
【００７４】  後下身頃対４は、帯状の左右の後下身頃４０ａ、４０ｂから成り、上身頃側領域の一例である上端部４１ａ、４１ｂは上身頃１０ａ、１０ｂの後端側領域１４ａ、１４ｂに縫着される。後下身頃４０ａ、４０ｂの幅は、後端側領域１４ａ、１４ｂの後端側縁部１４０ａ、１４０ｂ幅と略同一に形成されている。なお、後下身頃４０ａ、４０ｂの幅は、後端側領域１４ａ、１４ｂの幅と略同一の長さに形成されることに限られず、着用者のサイズに合わせて、適宜変更することができる。
【００７５】  ここで、後端側縁部１４０ａ、１４０ｂは、肩山線１１ａ、１１ｂと略平行に配置されている。このため、後端側縁部１４０ａ、１４０ｂに後下身頃４０ａ、４０ｂを縫着すると、後下身頃４０ａ、４０ｂの下端部４２ａ、４２ｂは、略水平に配置される。
【００７６】  図４（ｂ）に示すように、上身頃１と前下身頃２０ａ、２０ｂの上端部２１ａ、２１ｂ及び後下身頃４０ａ、４０ｂの上端部４１ａ、４１ｂとが縫着された縫着部８０付近を折返して重ねた重なり部にお端折部７が形成される。このお端折部７の上部７０付近で重なっている上身頃１、前下身頃２０ａ、２０ｂ、及び後下身頃４０ａ、４０ｂにお端折部７を縫着することにより、お端折部７の形状は保持されるので、着用時にお端折部７を形成する作業をすることなく、一人でも容易かつ迅速に着用することができる。
【００７７】  お端折部７の旋回方向の一端の近傍内側にある下身頃の部分には主ファスナー７２が取付けられており、主ファスナー７２と係合可能な従ファスナー７３が、お端折７で左前下身頃２０ａと左後下身頃４０ａが縫着される左体側縫着部８ａの上身頃１０ａ側のお端折部７に設けられている。主ファスナー７２と従ファスナー７３を係合させることで、右前下身頃２０ｂ、右前下身頃２０ｂと縫着された右衽３０ｂ、及び右前下身頃２０ｂが縫着された右上身頃１０ｂにより着用者の前面を被覆するように固定することができるので、着用時に着崩れるのを防ぐことができると共に、一人でも容易かつ迅速に着用することができる。
【００７８】  お端折部７の旋回方向の他端の一例である長手方向他端部７４及び近傍の下身頃には主ファスナー７５が取付けられており、主ファスナー７５と係合可能な従ファスナー７６が、お端折部の途中に設けられている。主ファスナー７５と従ファスナー７６を係合させることで、左前下身頃２０ａ、左前下身頃２０ａと縫着された左衽３０ａ、及び左前下身頃２０ａが縫着された左上身頃１０ａにより着用者の前面を被覆するように固定することができるので、着用時に着崩れるのを防ぐことができると共に、一人でも容易かつ迅速に着用することができる。
【００７９】  また、ファスナー７２、７３、７５、７６は帯を着用した際被覆される部分に設けられるので、着物を着用した際外観を損なうことがなく、着崩れるのを防ぐことができる。
【００８０】  なお、着物を構成する上身頃対１、前後の下身頃対２、４、袖９、衿５などの各寸法は、本発明の実施例に限られるものではない。例えば、これらの各寸法を変えることで、背が高くて痩せた体型、背が低くて痩せた体型、手足が長い体型、大柄な体型などの様々な体型にそれぞれ適合するサイズで作成された着物を作製することができる。
【００８１】  特に、衿は着用者の年齢や場面に応じてその開き具合が求められるので、様々な衿付部１３の前衿付線１３１ａ、１３１ｂ及び後衿付線１３０ａ、１３０ｂの形状が考えられる。例えば、胸元の衿を詰めた形状になる、直線状に形成された前衿付線、あるいは胸元の衿が開いた形状になる湾曲線状に形成された前衿付線などである。また、後衿付線１３１ａ、１３１ｂも、肩山線１１ａ、１１ｂから後側上身頃１００ａ、１００ｂ側へ大きく切欠くことで、後衿部１３２を大きく開くことができる。
【００８２】  このように、本発明では、着物の着用時の従来の美しい形状を保ちながらも、着崩れしにくく、一人でも容易かつ迅速に着用することができると共に、着用者の身体の凹凸に沿って立体的に作製された着物を提供することができる。
【００８３】  ［着物の製造方法］  本発明に係る着物の製造方法について、図１乃至図５を用いて説明する。［１］裁断工程Ｓ１  裁断工程Ｓ１では、生地体（図示せず）から、衿５、各左右一対の上身頃１０ａ、１０ｂ、前下身頃２０ａ、２０ｂ、後下身頃４０ａ、４０ｂ、衽３０ａ、３０ｂ、及び袖９を裁断する作業を行う。
【００８４】［２］第１内縁部接続工程Ｓ２  第１内縁部接続工程Ｓ２では、左右の上身頃１０ａ、１０ｂの背縫い部１６の内側縁部１６０ａ、１６０ｂを縫着する作業を行う。  左上身頃１０ａの後側上身頃１００ａの内側縁部１６０ａと、右上身頃１０ｂの後側上身頃１００ｂの内側縁部１６０ｂを縫着する。これにより、左右の上身頃１０ａ、１０ｂが体型に沿った立体的な形状となり、後側上身頃１００ａ、１００ｂの縁部領域１６１ａ、１６１ｂに皺が生じにくくなって、美しい形状を有する上身頃１が形成される。
【００８５】［３］脇縫い工程Ｓ３  脇縫い工程Ｓ３では、前側上身頃１０１ａ、１０１ｂと後側上身頃１００ａ、１００ｂの外側縁部１５を縫着する作業を行う。  右上身頃１０ｂの前側上身頃１０１ｂの前外側縁部１５０ｂのうち前端側領域１２ｂ寄りの一部と、後側上身頃１００ｂの後外側縁部１５１ｂのうち後端部領域１４ｂ寄りの一部とを縫着する。また、左上身頃１０ａの前側上身頃１０１ａの前外側縁部１５０ａのうち前端側領域１２ａ寄りの一部と、後側上身頃１００ａの後外側縁部１５１ａのうち後端部領域１４ａ寄りの一部とを縫着する。  これにより、左右の上身頃１０ａ、１０ｂを縫着することで、上身頃対を筒状に形成することができると共に、下方を細くして上身頃１を着用者の胴回りに沿った、下窄まりの立体的な形状に形成することができる。なお、外側縁部１５のうち縫着していない部分によって、後述する袖９と連続する袖通し用孔１７ａ、１７ｂを形成することができる。
【００８６】［４］衿関連部材取付け工程Ｓ４  衿関連部材取付け工程Ｓ４では、取付け領域６１に背力布６を縫着する作業と、上身頃１０ａ、１０ｂの後衿付線１３０ａ、１３０ｂ及び前衿付線１３１ａ、１３１ｂに衿５を縫着する作業を行う。  衿関連部材取付け工程Ｓ４は、衿抜き部材取付け過程Ｓ４０、後衿付取付け過程Ｓ４１及び前衿取付け過程Ｓ４２より構成される。
【００８７】［４−１］衿抜き部材取付け過程Ｓ４０  衿抜き部材取付け過程Ｓ４０では、衿抜き部材の一例である背力布６の被取付部６５を上身頃の取付部６０に取付け、背力布６の被係合部であるボタンホール６３を係合部であるボタン６４に係合させる作業を行う。  被取付部６５を取付け領域６１に設けられた取付部６０に縫着し、ボタン６４をボタンホール６３に係合させることで、背力布６を取付け部６０とボタン６４の間に介設することができる。
【００８８】  背力布６は、取付部６０とボタン６４間の長さよりも短く形成され、かつボタン６４は図３に示すように、帯（図示せず）によって押圧される位置に取り付けられているので、背力布６の被取付部６５にボタン６４側への牽引力が生じる。このボタン６４側への牽引力は取付け領域６１に伝わることで、衿５が後方に傾倒するので、衿抜き作業をすることなく衿抜きがされた衿と同様の美しい形状の衿５を形成することができると共に、背力布６によって着物の形状が略一定保持されるので、着用時に衿の位置がずれるなどの着崩れが生じにくくなる。さらに、背力布６は、着物Ａの内側に取付けられるため着物Ａの外観を損なうことないので、美しい形状を有する着物が形成される。
【００８９】  なお、ボタン６４及びボタンホール６３の取付け作業は、必ずしも衿関連部材取付け工程Ｓ４において行うことに限られず、例えば、後述する本体仕上げ工程Ｓ９の後に行っても良い。
【００９０】［４−２］後衿取付け過程Ｓ４１  後衿取付け過程Ｓ４１では、上身頃１０ａ、１０ｂの後衿付線１３０ａ、１３０ｂに沿って、衿５のうち後側上身頃１００ａ、１００ｂ側に取付けられる衿後部５０を縫着する。これにより、図３及び図４に示すように、肩山線より後ろ側の後側上身頃途中にかけて中心角略９０度の円弧状の後衿付線１３０ａ、１３０ｂに沿って縫着される衿後部５０は従来の後衿の位置よりも後方に傾倒するので、衿抜き作業を行うことなく、衿抜きがされた衿と同様の美しい形状の衿５を形成することができるので、一人でも容易かつ迅速に着用することができる。
【００９１】  ［４−３］前衿取付け過程Ｓ４２  前衿取付け過程Ｓ４１では、上身頃１０ａ、１０ｂの前衿付線１３１ａ、１３１ｂに沿って、衿５のうち前側上身頃１０１ａ、１０１ｂ側に取付けられる衿前部５１を縫着する。これにより、前衿付線１３１ａ、１３１ｂに沿って縫着される衿前部５１は立体的に胸元に沿った形状に取付けられるので、胸元を合わせる作業を省くことができ、一人でも容易に着用することができる。
【００９２】  ［５］袖付け工程Ｓ５  袖付け工程Ｓ５では、上身頃１０ａ、１０ｂの外側縁部１５に袖９を縫着する作業を行う。  袖９を二つに折り、袂９０が形成されるよう縁部を縫着する。袂９０が形成された側と反対側の縁部を、上身頃１０ａ、１０ｂの袖通し用孔１７ａ、１７ｂに取り付ける。これにより、着用者が袖通し用孔１７ａ、１７ｂから袖９に袖を通すことができる。
【００９３】［６］第２内縁部接続工程Ｓ６  第２内縁部接続工程Ｓ６では、後下身頃４０ａ、４０ｂを縫着する作業を行う。  左後下身頃４０ａの内側背縫い部４３ａと右後下身頃４０ｂの内側背縫い部４３ｂを縫着する。これにより、後下身頃４０ａ、４０ｂが一体に形成される。
【００９４】［７］衽付け工程Ｓ７  衽付け工程Ｓ７では、前下身頃２０ａ、２０ｂに衽３０ａ、３０ｂを縫着する作業を行う。  前下身頃２０ａ、２０ｂの衽取付け縁部２４ａ、２４ｂに衽３０ａ、３０ｂを取り付ける。これにより、前下身頃２０ａ、２０ｂと衽３０ａ、３０ｂが一体に形成される。
【００９５】［８］足周り接続工程Ｓ８  足周り接続工程Ｓ８では、左前下身頃２０ａと左後下身頃４０ａ、及び右前下身頃２０ｂと右後下身頃４０ｂを縫着する作業を行う。  左前下身頃２０ａの外側縁部と左後下身頃４０ａの外側縁部を縫着して左体側縫着部８ａを形成し、右前下身頃２０ｂの外側縁部と右後下身頃４０ｂの外側縁部を縫着して右体側縫着部８ｂを形成する。これにより、左前下身頃２０ａと左後下身頃４０ａ、及び右前下身頃２０ｂと右後下身頃４０ｂが一体に形成される。
【００９６】［９］本体仕上げ工程Ｓ９  本体仕上げ工程では、上下身頃１、２、４を接続し、お端折７を形成し、お端折７の端部７１、７４が接続される接続部の取付を行う。
【００９７】［９−１］上下身頃接続工程Ｓ９０  上下身頃接続工程Ｓ９０では、上身頃１０ａ、１０ｂと、前下身頃２０ａ、２０ｂ及び後下身頃４０ａ、４０ｂを縫着する作業を行う。  上身頃１０ａ、１０ｂの前端側縁部１２０ａ、１２０ｂに、前下身頃２０ａ、２０ｂを縫着すると共に、上身頃１０ａ、１０ｂの後端側縁部１４０ａ、１４０ｂに、後下身頃４０ａ、４０ｂを縫着する。  これにより、上身頃１０ａ、１０ｂと、前下身頃２０ａ、２０ｂ及び後下身頃４０ａ、４０ｂが一体に形成されると共に、前端側縁部１２０ａ、１２０ｂが内側に向かって肩山線１１ａ、１１ｂ側に傾斜していることから、図２（ｂ）に示すように、褄先２３が上方に持ち上がるので、全体として裾窄まりの形状を形成することができる。
【００９８】［９−２］お端折形成工程Ｓ９１  お端折形成工程Ｓ９１では、お端折部７を形成して縫着する作業を行う。  上身頃１と、前下身頃２０ａ、２０ｂの上端部２１ａ、２１ｂ及び後下身頃４０ａ、４０ｂの上端部４１ａ、４１ｂとが縫着された縫着部８０付近を折返して重ねてお端折部７を形成する。図４に示すように、このお端折部７の上部７０付近で重なっている上身頃１、前下身頃２０ａ、２０ｂ、及び後下身頃４０ａ、４０ｂを縫着することにより、お端折部７の形状は保持されるので、着用時にお端折部７を形成する作業をすることなく、一人でも容易かつ迅速に着用することができる。
【００９９】［９−３］接続具取付け工程Ｓ９２  接続具取付け工程Ｓ９２では、お端折部７の長手方向端部７１、７４又はその近傍に係合具であるファスナー７２、７３、７５、７６を取り付ける作業を行う。  お端折部７の長手方向一端部７１近傍の下身頃２、４には主ファスナー７２が設けられ、及び主ファスナー７２と係合可能な従ファスナー７３が、左体側縫着部８ａの上身頃１０ａ側寄りに設けられている。主ファスナー７２と従ファスナー７３を係合させることで、右前下身頃２０ｂ、右前下身頃２０ｂと縫着された右衽３０ｂ、及び右前下身頃２０ｂが縫着された右上身頃１０ｂにより着用者の前面を被覆するように固定することができるので、着用時に着崩れるのを防ぐことができると共に、一人でも容易かつ迅速に着用することができる。
【０１００】  お端折部７の長手方向他端部７４近傍の下身頃２には、主ファスナー７５が取付けられ、主ファスナー７５と係合可能な従ファスナー７６は、お端折部７の途中部に設けられている。主ファスナー７５と従ファスナー７６を係合させることで、左前身頃２０ａ、左前身頃２０ａと縫着された左衽３０ａ、及び左前身頃２０ａが縫着された左上身頃１０ａにより着用者の前面を被覆するように固定することができるので、着用時に着崩れるのを防ぐことができると共に、一人でも容易かつ迅速に着用することができる。
【０１０１】  これにより、着用者の前面を被覆する生地がファスナー７２、７３、７５、７６により固定されるので、着用時に着物の胸元が徐々に開いてしまうなどの着崩れを防ぎやすくなる。
【０１０２】  なお、本実施例では、従ファスナー７３、７６を三本設けていることで、様々な胴回りのサイズに対応させることができる。  さらに、サイズごとにファスナーの色を変えるようにしてもよく、この場合着用時に対応する主従のファスナーを容易に見つけることができる。
【０１０３】  また、本発明に係る着物の上身頃１や下身頃２，４の寸法を適宜変えることで、様々な体型にそれぞれに対応した着物を製造することができる。
【０１０４】  さらに、本実施例では上身頃と下身頃を縫着した縫着部８０にお端折を形成しているが、図４（ｃ）に示すように、下身頃にお端折部７を形成した後に、該下身頃２、４を上身頃１の下端に縫着するようにしてもよい。
【０１０５】  この場合は、下身頃２、４のお端折部７は折畳んで、上身頃１に縫着することによりお端折部７と上下身頃１、２、４を一体的に逢着することができる。このため、縫着回数は一回で済み、作業負担が軽減される。
【０１０６】［着用方法］  本発明の着物に係る着用方法について、図６を用いて説明する。［１］第１工程（Ｓ２１）  第１工程Ｓ２１では、本発明に係る着物をはおる作業を行う。  第１工程は、衿刳り構造があらかじめ形成された着物の着用工程Ｓ２１ａ及び立体構造があらかじめ形成された着物の着用工程Ｓ２１ｂより構成される。
【０１０７】［１−１］着物の着用工程（Ｓ２１ａ）  着物の着用工程Ｓ２１ａでは、被取付部６５が、取付け領域６１内の所定の取付部６０に取付けられ、被係合部であるボタンホール６３が、係合部であるボタン６４に取付けられた着物を着用することで、衿後部５０は後方に傾倒するので、衿抜き作業を行うことなく、衿抜きがされた衿と同様の美しい形状の衿５を有する着物を、一人でも容易かつ迅速に着用することができる。
【０１０８】［１−２］着物の着用工程（Ｓ２１ｂ）  着物の着用工程Ｓ２１ｂでは、上身頃対１、前下見頃対２及び後下見頃対４の部材に分割することによって、着用者の身体の凹凸に沿って立体的に形成することができると共に、上身頃１と下身頃２、４間を折畳んでお端折部７を形成することによって、お端折部７作成のための作業負担が軽減される。これにより、着物全体の形状等の微調整を行うことなく、容易かつ迅速に着用することができる。
【０１０９】［２］第２工程（Ｓ２２）  第２工程（Ｓ２２）では、上身頃対１に取付けた袖９に腕を通した後、お端折部７の一端を巻いて、所定位置で固定する作業を行う。右前下身頃２０ｂ及び右上身頃１０ｂを固定することができるので、胸元が開くなどの着崩れを防ぐことができる。
【０１１０】［２］第３工程（Ｓ２３）  第３工程（Ｓ２３）では、お端折の他端を巻いて、お端折部の途中に固定する作業を行う。着用者は左前下身頃２０ａを巻いてファスナー７２、７３、７５、７６で固定することにより、右前下身頃２０ｂ及び右上身頃１０ｂを固定することができるので、胸元が開くなどの着崩れを防ぐことができる。
【０１１１】  このように、本発明の実施の形態に係る着物を着用することで、従来行っていた裾の位置決め、お端折の形成、衿元の位置決めや衿抜きの作業を行うことなく、容易に着用することができる。  即ち、例えば、着物の着用に不慣れな外国の旅行者であっても簡便に着用することができるので、着物を手軽に着用して写真撮影などを行いたい場合などに適した着用方法である。
【０１１２】  このように、本発明では、着物の着用時の従来の美しい形状を保ちながらも、着崩れしにくく、一人でも容易かつ迅速に着用することができると共に、着用者の身体の凹凸に沿って立体的に作製された着物、着物の製造方法及び着物の着用方法を提供することができる。
【符号の説明】
【０１１３】１                  上身頃対２                  前下身頃対３                  衽対４                  後下身頃対５                  衿６                  背力布（衿抜き部材）７                  お端折部９                  袖１０ａ、１０ｂ      左右の上身頃１１ａ、１１ｂ      肩山線１２ａ、１２ｂ      前端側領域１３                衿付部（衿刳り）１４ａ、１４ｂ      後端側領域１５                外側縁部１６                背縫い部（傾斜内縁部）２０ａ、２０ｂ      前下身頃２１ａ、２１ｂ      上端部（上身頃側領域）２４ａ、２４ｂ      衽取付け縁部３０ａ、３０ｂ      衽４０ａ、４０ｂ      後下身頃４１ａ、４１ｂ      上端部（上身頃側領域）４３ａ、４３ｂ      内側背縫い部（内側縁部）５０                衿後部５１                衿前部６０                取付部６１                取付け領域６３                ボタンホール６４                ボタン７１                長手方向一端部７２                主ファスナー（第一接続部）７３                従ファスナー（第一接続部）７４                長手方向他端部７５                主ファスナー（第二接続部）７６                従ファスナー（第二接続部）１００ａ、１００ｂ  後側上身頃１０１ａ、１０１ｂ  前側上身頃１２０ａ、１２０ｂ  前端側縁部（傾斜前縁部）１３０ａ、１３０ｂ  後衿付線１３１ａ、１３１ｂ  前衿付線１３２              後衿部１３３              前衿部１４０ａ、１４０ｂ  後端側縁部１５０ａ、１５０ｂ  前外側縁部１５１ａ、１５１ｂ  後外側縁部１６０ａ、１６０ｂ  内側縁部１６１ａ、１６１ｂ  縁部領域
【図１】
2017183144.tif 000003
【図２】
2017183144.tif 000004
【図３】
2017183144.tif 000005
【図４】
2017183144.tif 000006
【図５】
2017183144.tif 000007
【図６】
2017183144.tif 000008
【国際調査報告】
2017183144.tif 000009
2017183144.tif 000010
2017183144.tif 000011
2017183144.tif 000012